(57)【特許請求の範囲】
【請求項１】
合成樹脂製または金属製の押圧子１と押圧子側面３に、合成樹脂製または金属製のピン４と鍵溝５とによって押圧子１がピン４を回転軸として前後方向に回動し嵌入する紐通し枠２とからなり、押圧子１は該押圧子１の下部中央には角形の隆起物６と、押圧子側面３の両面の中央上部にピン４を各々１個ずつ形成し、ピン４または鍵溝５の少なくとも一方は合成樹脂製であり、また、紐通し枠２は、中央に押圧子１が嵌着できるように窓孔７を有するとともに、該窓孔７の内側には押圧子１のピン４が嵌入できる鍵溝５を具備し、該鍵溝５には押圧子１のピン４が外れないためのアール状の凸部があり、さらに、紐通し枠２には鍵溝５がある面とは異なる内壁面中央に紐通し孔８が２ケ所開設され、押圧子１を紐通し枠２に装着後、紐止め枠２にある紐通し孔８から出ているどちらか一方の紐１１を引くことにより、他方の紐通し孔８側の押圧子１にある角形の隆起物６の角部が引き寄せられ、ピン４を回転軸として押圧子１が回動し押圧部紐側面１０の上部が窓孔７の紐通し孔８側内壁に接触し、押圧子１が固定され、窓孔７の内壁にある紐通し孔８の一部を、押圧子１にある押圧部紐側面１０が覆うようになり、紐通し孔８内の紐１１を押し付け固定し、さらに、押圧子１により紐１１を固定させた時とは反対の押圧用表面部９の端を上部から押して押圧子１と紐１１とが水平に回転移動させることにより、紐通し枠２にある紐１１が自由に移動できるように構成したことを特微とする紐止め具。
【発明の詳細な説明】
【０００１】
【産業上の利用分野】
本発明は服飾関連における紐止め具に関する。
【０００２】
【従来の技術】
従来、紐止め具は、プッシュ式紐止め具が一般的であり、紐１１が挿通される空洞１４を持つ押込み部材１２と、この押込み部材１２を収容して押込み部材１２の空洞１４と整列して紐１１が挿通できる紐孔１５をもつ収容部材１３と、押込み部材１２と収容部材１３との間に配設されて空洞１４と紐孔１５とが整列しないように機能するばねまたは押込み部材１２の下部にばね効果を持つ二股弾性脚を有するものとから構成される。
【０００３】
【発明が解決しようとする課題】
前記プッシュ式紐止め具は、ばね等を使用して機能させるので押込み方向に形状が厚くなったり、デザインも球形、たる形、円筒形や角形等に限定されてしまう。
【０００４】
そこで、本発明が解決しようとする課題は、服飾用紐止め具に関し、従来のプッシュ式紐止め具とは異なる機構を有し、ばねやばね効果を有する構造を持たなくとも多様なデザイン展開が可能な新しいタイプの紐止め具を提供するものである。
【０００５】
【課題を解決するための手段】
以上の課題を解決するため、本発明は合成樹脂製または金属製の押圧子１と押圧子側面３に、合成樹脂製または金属製のピン４と鍵溝５とによって押圧子１がピン４を回転軸として前後方向に回動し嵌入する紐通し枠２とからなり、押圧子１は該押圧子１の下部中央には角形の隆起物６と、押圧子側面３の両面の中央上部にピン４を各々１個ずつ形成し、ピン４または鍵溝５の少なくとも一方は合成樹脂製であり、また、紐通し枠２は、中央に押圧子１が嵌着できるように窓孔７を有するとともに、該窓孔７の内側には押圧子１のピン４が嵌入できる鍵溝５を具備し、該鍵溝５には押圧子１のピン４が外れないためのアール状の凸部があり、さらに、紐通し枠２には鍵溝５がある面とは異なる内壁面中央に紐通し孔８が２ケ所開設され、押圧子１を紐通し枠２に装着後、紐止め枠２にある紐通し孔８から出ているどちらか一方の紐１１を引くことにより、他方の紐通し孔８側の押圧子１にある角形の隆起物６の角部が引き寄せられ、ピン４を回転軸として押圧子１が回動し押圧部紐側面１０の上部が窓孔７の紐通し孔８側の内壁に接触し、押圧子１が固定され、窓孔７の内壁にある紐通し孔８の一部を、押圧子１にある押圧子紐側面１０が覆うようになり、紐通し孔８内の紐１１を押し付け固定し、さらに、押圧子１により紐１１を固定させた時とは反対の押圧用表面部９の端を上部から押して押圧子１と紐１１とが水平に回転移動させることにより、紐通し枠２にある紐１１が自由に移動できるように構成したことを特徴とする紐止め具を要旨とする。
【０００６】
【作用】
本発明は、ばねまたはばね効果を持たせる機能を使うことなく、押圧子１と紐通し枠２とからなり、紐通し孔８から出ているどちらか一方の紐１１を引くことにより押圧子１がピン４を支軸として回動し、押圧子１にある引いた紐側とは反対の押圧子紐側面１０の下側が紐１１を押し、該紐１１が固定され、さらに、紐１１が固定された時とは反対の押圧用表面部９の端を押すと押圧子１が紐１１と水平になり該紐１１の固定が解除される。
【０００７】
【実施例】
以下、実施例により発明実施の態様を説明するが、例示は単に説明用のもので、発明思想の制限または限定を意味するものではない。
【０００８】
図１は、本発明に係る紐止め具であり、押圧子１と紐通し枠２との嵌着前における構造を示す斜視説明図である。
【０００９】
図面において、押圧子１は該押圧子１の下部中央には角形の隆起物６と、押圧子側面３の両面の中央上部にピン４を各々１個ずつ形成し、ピン４または鍵溝５の少なくとも一方は合成樹脂製であり、また、紐通し枠２は、中央に押圧子１が嵌着できるように窓孔７を有するとともに、該窓孔７の内側には押圧子１のピン４が嵌入できる鍵溝５を具備し、該鍵溝５には押圧子１のピン４が外れないためのアール状の凸部があり、さらに、紐通し枠２には鍵溝５が存する面とは異なる内側面の中心部に紐通し孔８が２ヶ所開設されている。
【００１０】
図５は、本発明に係る紐１１を有した紐止め具の構造を示す上面図である。
【００１１】
図６は図５のＡ−Ａ部における断面図である。
【００１２】
図面において、押圧子１が紐通し枠２に対し水平になり、紐１１が固定されずに自由に動き、紐止め具としていわゆるフリーの状態を示すものである。
【００１３】
図７は本発明に係る図６の紐１１が引かれて該紐１１が固定された状態を示す断面図である。
【００１４】
図面において、片側の紐１１を引くことにより押圧子１が矢印部Ｂ方向に、ピン４を回転軸として押圧子１が回動し押圧部紐側面１０の上部が窓孔７の紐通し孔側内壁に接触し押圧子１が固定され、押圧子１が紐１１を押し、固定させたいわゆるロックされた状態を示している。この状態から押圧子１を最初押した時と反対の押圧子１の端を押すことにより押圧子１を水平にして紐１１の固定を解除できる。
【００１５】
【発明の効果】
本発明は、以上の構造を具備するため、ばねやばね効果を有する構造を持たなくとも成り立つので、形状が厚くなることもなく多様なデザイン展開が可能で新規な紐止め具である。さらに、本発明に係る押圧子１と紐通し枠２との構造部品をすべて合成樹脂製にて作製すれば、縫製後の衣服に残る針の検針に対して係る合成樹脂製の紐止め具は金属を使わないので針の検針を邪魔することなく検針機対応商品として有効である。
【図面の簡単な説明】
【図１】本発明に係る紐止め具であり、押圧子１と紐通し枠２との嵌着前における構造を示す斜視説明図である。
【図２】従来例であるプッシュ式紐止め具の斜視説明図である。
【図３】本発明に係る押圧子１と紐通し枠２とを嵌着した時における構造を示す斜視説明図である。
【図４】本発明に係る紐１１を有する紐止め具の構造を示す斜視説明図である。
【図５】本発明に係る紐１１を有する紐止め具の構造を示す上面図である。
【図６】本発明に係る図５のＡ−Ａ部における断面図である。
【図７】本発明に係る図６の紐１１が引かれて該紐１１が固定された状態を示す断面図である。
【図８】本発明に係る図７とは反対方向に紐１１が引かれて該紐１１が固定された状態を示す断面図である。
【図９】本発明に係る紐通し枠２の鍵溝５付近の拡大斜視説明図である。
【符号の説明】
１−押圧子
２−紐通し枠
３−押圧子側面
４−ピン
５−鍵溝
６−隆起物
７−窓孔
８−紐通し孔
９−押圧用表面部
１０−押圧部紐側面
１１−紐
１２−押込み部材
１３−収容部材
１４−空洞
１５−紐孔
１６−アール状の凸部
１７−ピンの受け部
【図１】
0003603152.tif 000002
【図２】
0003603152.tif 000003
【図３】
0003603152.tif 000004
【図４】
0003603152.tif 000005
【図５】
0003603152.tif 000006
【図６】
0003603152.tif 000007
【図７】
0003603152.tif 000008
【図８】
0003603152.tif 000009
【図９】
0003603152.tif 000010